(57)【要約】【課題】侵入した異物をストロボ装置のポップアップ動作により取り除くことが可能な撮像装置を提供する。【解決手段】突出位置と収納位置との間で移動可能なストロボ発光部６を備えた撮像装置１であって、所定の軸を基準として回転することによりストロボ発光部６を収納位置から突出位置に移動させるリンク部材５と、撮像装置１の光軸方向に延びる案内溝３と、ストロボ発光部６が収納位置から突出位置に移動する際に、案内溝３に係合しながら光軸方向に摺動する軸部６ａとを有し、案内溝３の端面３ａと底面３ｂとのなす角が、鈍角となるように設定する。【選択図】図４
2010186087.tif 000002
【特許請求の範囲】
【請求項１】
突出位置と収納位置との間で移動可能なストロボ発光部を備えた撮像装置であって、
所定の軸を基準として回転することにより前記ストロボ発光部を前記収納位置から前記突出位置に移動させるリンク部材と、
前記撮像装置の光軸方向に延びる案内部と、
前記ストロボ発光部が前記収納位置から前記突出位置に移動する際に、前記案内部に係合しながら前記光軸方向に摺動する軸部と、を有し、
前記ストロボ発光部を前記収納位置から前記突出位置に移動させたときに、前記軸部が当接する前記案内部の端面と前記軸部の先端面と対向する前記案内部の底面とのなす角が、鈍角となるように設定されていることを特徴とする撮像装置。
【請求項２】
前記ストロボ発光部を前記突出位置から前記収納位置に移動させたときに、前記軸部が当接する前記案内部の端面と前記軸部の先端面と対向する前記案内部の底面とのなす角が、鈍角となるように設定されていることを特徴とする請求項１に記載の撮像装置。
【請求項３】
前記ストロボ発光部を前記収納位置で収納するストロボ収納部を有し、
前記ストロボ収納部には、壁で囲まれた窪みが形成されていることを特徴とする請求項１記載の撮像装置。
【発明の詳細な説明】
【技術分野】
【０００１】
本発明は、ポップアップ動作を行うストロボ発光部を備えた撮像装置に関する。
【背景技術】
【０００２】
カメラは、小型で携帯性に優れたものが要求される。一方、近年では、レンズ性能が向上し、よりワイドな画角が撮影できるズームレンズを備えた鏡筒、高倍率での撮影が可能な繰出し量の長い鏡筒、又は、大口径レンズを用いてより明るい開放Ｆ値を有する鏡筒等が、小型カメラにも搭載されている。しかし、カメラ内蔵型のストロボでは、ストロボ照射光がレンズ鏡筒の先端に遮られて被写体に到達しない所謂「ケラレ」の問題がある。小型化を図りながらケラレの発生を防止する構造として、ポップアップストロボが提案されている。これは、非撮影時にはストロボ発光部をカメラ本体内に収納するが、撮影時にはストロボ発光部をカメラ本体から突出させるように構成したストロボである。
【０００３】
ポップアップストロボの構造として、特許文献１には、カメラ本体内の回転軸を中心として、発光部をカメラ上方へ突出させるストロボ構造が開示されている。このストロボ構造では、非使用時には発光部がカメラ本体と一体となるように収納されているが、使用時には発光部が回転軸を中心に４５度程度回転して突出して被写体正面方向を向く。また、特許文献２には、カメラ本体の収納部に収納された収納位置と、カメラ本体上面よりも斜め前方に突出した突出位置との間で移動可能な発光部を備えたカメラが開示されている。
【先行技術文献】
【特許文献】
【０００４】
【特許文献１】特開平７−１９９２９５号公報
【特許文献２】特公平６−１７９６３号公報
【発明の概要】
【発明が解決しようとする課題】
【０００５】
ポップアップストロボは、その構造上、ユーザが容易に接触可能なカメラ本体の外面に収納されている。発光部は、非撮影時にはカメラ本体に収納されているが、撮影時にはストロボ撮影に適した所望の位置へ移動する。このとき、発光部とカメラ本体との間には若干の隙間が形成される。カメラは、屋外や埃の多い環境下でも使用されるため、その隙間から砂、埃、液体等の異物が浸入するおそれがある。特に、カメラの光軸方向に伸びる案内溝を有するポップアップストロボでは、異物が案内溝内に蓄積すると、案内溝内での軸の移動が阻害され、発光部を所望の位置で停止させることができない。このため、撮影時に撮影画角とストロボ照射範囲とが一致しない撮像不良が生じるおそれがある。また、発光部を収納しようとする際に、発光部を確実に収納することができない場合もある。
【０００６】
そこで本発明は、侵入した異物をストロボ装置のポップアップ動作により取り除くことが可能な撮像装置を提供する。
【課題を解決するための手段】
【０００７】
本発明の一側面としての撮像装置は、突出位置と収納位置との間で移動可能なストロボ発光部を備えた撮像装置であって、所定の軸を基準として回転することにより前記ストロボ発光部を前記収納位置から前記突出位置に移動させるリンク部材と、前記撮像装置の光軸方向に延びる案内部と、前記ストロボ発光部が前記収納位置から前記突出位置に移動する際に、前記案内部に係合しながら前記光軸方向に摺動する軸部とを有し、前記ストロボ発光部を前記収納位置から前記突出位置に移動させたときに、前記軸部が当接する前記案内部の端面と前記軸部の先端面と対向する前記案内部の底面とのなす角が、鈍角となるように設定する。
【０００８】
本発明の他の目的及び特徴は、以下の実施例において説明される。
【発明の効果】
【０００９】
本発明によれば、侵入した異物をストロボ装置のポップアップ動作により取り除くことが可能な撮像装置を提供することができる。
【図面の簡単な説明】
【００１０】
【図１】本実施例における撮像装置の外観斜視図である。
【図２】本実施例における撮像装置を背面斜め上から見た外観斜視図である。
【図３】図１の切断面Ａにて切断した場合における本実施例の撮像装置の要部断面図である。
【図４】図１の切断面Ｂにて切断した場合における本実施例の撮像装置の要部断面図である。
【発明を実施するための形態】
【００１１】
以下、本発明の実施例について、図面を参照しながら詳細に説明する。各図において、同一の部材については同一の参照番号を付し、重複する説明は省略する。
【００１２】
まず、本実施例における撮像装置の概略構成について説明する。図１は、本実施例における撮像装置１の外観斜視図である。図１においては、ストロボ発光時に前面側から見た撮像装置１を示している。撮像装置１は、突出位置と収納位置との間で移動可能なストロボ発光部を備えた撮像装置である。
【００１３】
撮像装置１の前面中央部には、レンズ鏡筒８が設けられている。また、レンズ鏡筒８の前面右上部には、ストロボ発光部６が設けられている。ストロボ発光部６は、撮像の際におけるレンズ鏡筒８の繰出しに連動してポップアップ動作を行う。ここでストロボ発光部６のポップアップ動作とは、撮像装置１の収納位置に収納されているストロボ発光部６が、撮像の際に突出することをいう。このように、本実施例のストロボ発光部６は、撮像の際に、レンズ鏡筒８に連動して収納位置から突出位置に移動するように構成されている。
【００１４】
次に、本実施例における撮像装置のストロボ発光部の周辺構成について説明する。図２は、本実施例における撮像装置１を背面斜め上から見た外観斜視図であり、ストロボ収納部の周辺を拡大したものである。図２においては、理解を容易にするため、ストロボ発光部６を図示していない。ストロボ収納部２は、撮像装置１に設けられており、ストロボ発光部６を所定の収納位置において収納する。また、ストロボ収納部２の側壁には、案内溝３（案内部）が形成されている。案内溝３は、撮像装置１の光軸方向に直線状に延びている。後述のように、案内溝３は、ストロボ発光部６の軸部６ａが嵌合するように構成されている。また案内溝３の端面３ａは、ストロボ発光部６の軸部６ａの側面（当接面）と異なる面を有する。例えば、端面３ａは軸部６ａの側面に対して所定の傾斜角を有する。
【００１５】
ストロボ収納部２には、壁４ａに囲まれた窪み４（凹部）が形成されている。図２に示されるように、窪み４は、案内溝３の端面３ａの近傍に設けられている。リンク部材５は、ポップアップ動作をストロボ発光部６に伝達するリンク機構である。リンク部材５の詳細については後述する。
【００１６】
図３は、図１の切断面Ａにて切断した場合の撮像装置１の要部断面図である。図３（ａ）はストロボ発光部６が収納位置にある場合を示し、図３（ｄ）はストロボ発光部６が突出位置にある場合を示している。リンク部材５は、軸部５ａ、５ｂを備える。リンク部材５は、軸部５ａにより、ストロボ収納部２に対して回転可能に構成されている。リンク部材５は、軸部５ａを基準として回転することにより、ストロボ発光部６を収納位置（図３（ａ））から突出位置（図３（ｂ））に移動させる。またリンク部材５は、軸部５ｂにより、ストロボ発光部６に対して回転可能に構成されている。
【００１７】
ストロボ発光部６の後端（図３（ａ）中の右端）には、軸部６ａが設けられている。軸部６ａの端部は、ストロボ収納部２の側面に形成された案内溝３に係合し、撮像装置１の光軸方向（図３中の左右方向）に摺動可能に構成されている。すなわち、軸部６ａは、ストロボ発光部６が収納位置（図３（ａ））から突出位置（図３（ｂ））に移動する際に、案内溝３に係合しながら光軸方向に摺動する。案内溝３に係合した軸部６ａが案内溝３の右端部（図３（ａ））から左端部（図３（ｂ））に向けて摺動することにより、ストロボ発光部６がリンク部材５の軸部５ｂを基準として回転する。また、ストロボ発光部６の先端には、光量の不足時等に必要に応じて発光するストロボ発光窓７が設けられている。上述の動作により、ストロボ発光部６が突出位置にポップアップされ、ストロボ発光部６による発光が可能となる。
【００１８】
図４は、図１の切断面Ｂにて切断した場合の撮像装置１の要部断面図である。図４は、ストロボ発光部６が収納位置から突出位置への移動途中（ポップアップ動作中）の状態を示している。図４に示されるように、撮像装置１に形成された案内溝３は、軸部６ａの摺動範囲を規定する端面３ａ、及び、軸部６ａの先端面と対向する底面３ｂを有する。軸部６ａは、このような案内溝３に摺動可能に嵌合している。本実施例では、案内溝３の端面３ａは、光軸方向と垂直な面に対して傾斜している。すなわち、案内溝３の端面３ａと底面３ｂとのなす角が鈍角となるように設定されている。
【００１９】
図３（ａ）に示されるように、不図示のカム部材からリンク部材５が軸部５ａを回転中心として反時計回りに回転する力を受けた場合、軸部５ｂは、リンク部材５の回転運動により上昇する。ストロボ発光部６は、軸部５ｂを回転中心としてリンク部材５に対して回転し、かつ、軸部６ａにより摺動（移動）する。このように、本実施例のストロボ発光部６は、回転と前進運動が同時に実行され、ストロボ発光窓７が前方かつ上方へ移動する。軸部６ａが案内溝３の端面３ａに突き当たることにより、ストロボ発光部６のポップアップ動作が終了し、ストロボ発光窓７が撮影の際における所望の位置に配置される。
【００２０】
前回の撮像時等にて案内溝３に侵入した砂埃、液体等の異物は、ストロボ発光窓７が今回の撮影時における所望の位置に移動する際に、軸部６ａの摺動により案内溝３の端面３ａに移動する。その際、砂、埃、液体等の異物は、案内溝３の底面３ｂとその底面３ｂに対して鈍角に傾斜して配置された端面３ａを介して、案内溝３の外へ取り出される。案内溝３から取り出された砂、埃、液体等の異物は、少なくとも一部を壁４ａに囲まれた窪み４に収集される。窪み４は、案内溝３の端面３ａの近傍に設けられていることが好ましい。窪み４には、壁４ａが形成されることで、窪み４落ちた異物がさらに撮像装置の内部に進入しないようになっている。このように、本実施例によれば、砂、埃、及び、液体等の異物の侵入を防止することができる。
【００２１】
上述のとおり、本実施例の撮像装置によれば、ストロボ機構に侵入した埃、砂、液体等の異物が、例えば案内溝内に滞留した場合でも、自らのポップアップ動作により異物を案内溝の外に取り出すことが可能となる。このため、本実施例の撮像装置によれば、ストロボ機構の安定した摺動性を確保することができる。また、取り出された異物は、ストロボ収納部に設けられた窪みに収集されるため、ストロボのポップアップ動作を行うリンク機構の内部への侵入を抑制することができる。
【００２２】
以上、本発明の好ましい実施形態について説明したが、本発明はこれらの実施形態に限定されず、その要旨の範囲内で種々の変形及び変更が可能である。
【符号の説明】
【００２３】
１  撮像装置
２  ストロボ収納部
３  案内溝
３ａ  端面
３ｂ  底面
５  リンク部材
５ａ、５ｂ  軸部
６  ストロボ発光部
６ａ  軸部
【図１】
2010186087.tif 000003
【図２】
2010186087.tif 000004
【図３】
2010186087.tif 000005
【図４】
2010186087.tif 000006